(57)【要約】【課題】家系図を作成する際の操作性を向上させる。【解決手段】家系図作成装置は、被相続人の法定相続人となり得る法定相続人候補を表す複数の法定相続人候補アイコンを候補アイコン領域に表示し、候補アイコン領域から、家系図に表示する法定相続人候補の法定相続人候補アイコンの選択を受け付けるとともに、該法定相続人候補が配偶者または子を有するかどうかの入力を受け付け、被相続人を表す被相続人アイコンと、選択された法定相続人候補アイコンと、配偶者または子を表す追加アイコンとを含む家系図を家系図領域に表示し、家系図に含まれる各人が被相続人の法定相続人であるかどうかを判定し、該判定結果に基づいて、法定相続人候補アイコン及び追加アイコンのそれぞれの表示態様を変更する。【選択図】図１０
2015132882.tif 000002
【特許請求の範囲】
【請求項１】
被相続人の法定相続人となり得る法定相続人候補を表す複数の法定相続人候補アイコンを候補アイコン領域に表示する候補アイコン表示部と、
前記候補アイコン領域から、家系図に表示する法定相続人候補の法定相続人候補アイコンの選択を受け付けるとともに、該法定相続人候補が配偶者または子を有するかどうかの入力を受け付ける相続人入力部と、
被相続人を表す被相続人アイコンと、前記選択された法定相続人候補アイコンと、前記相続人入力部が受け付けた配偶者または子を表す追加アイコンとを含む家系図を家系図領域に表示する家系図表示部と、
前記家系図の情報を記憶する家系図記憶部と、
前記家系図に含まれる各人が被相続人の法定相続人であるかどうかを判定する相続人判定部と、
を備え、
前記家系図表示部は、前記相続人判定部の判定結果に基づいて、前記法定相続人候補アイコン及び前記追加アイコンのそれぞれの表示態様を変更する、
家系図作成装置。
【請求項２】
請求項１に記載の家系図作成装置であって、
前記家系図表示部は、前記相続人判定部の判定結果に基づいて、前記追加アイコンによって表される人物が法定相続人でない場合、当該人物が受遺者であることを表す表示態様で前記追加アイコンを表示する、
家系図作成装置。
【請求項３】
請求項１または２に記載の家系図作成装置であって、
前記複数の法定相続人候補アイコンには、死亡した法定相続人候補を表す死亡法定相続人候補アイコンが含まれる、
家系図作成装置。
【請求項４】
前記追加入力受付部は、前記法定相続人候補アイコンによって表される法定相続人候補が有する子の数の入力を受け付け、
前記家系図表示部は、前記追加入力受付部が受け付けた子の数を含む前記追加アイコンを表示する、
家系図作成装置。
【請求項５】
請求項１〜４の何れか一項に記載の家系図作成装置であって、
前記候補アイコン領域及び前記家系図領域が表示されるタッチパネルをさらに備え、
前記家系図にアイコンを追加するための操作は前記タッチパネル上で行われる、
家系図作成装置。
【請求項６】
請求項１〜５の何れか一項に記載の家系図作成装置であって、
前記家系図作成装置は、携帯型情報端末である、
家系図作成装置。
【請求項７】
コンピュータに、
被相続人の法定相続人となり得る法定相続人候補を表す複数の法定相続人候補アイコンを候補アイコン領域に表示する候補アイコン表示部と、
前記候補アイコン領域から、家系図に表示する法定相続人候補の法定相続人候補アイコンの選択を受け付けるとともに、該法定相続人候補が配偶者または子を有するかどうかの入力を受け付ける相続人入力部と、
被相続人を表す被相続人アイコンと、前記選択された法定相続人候補アイコンと、前記相続人入力部が受け付けた配偶者または子を表す追加アイコンとを含む家系図を家系図領域に表示する家系図表示部と、
前記家系図の情報を記憶する家系図記憶部と、
前記家系図に含まれる各人が被相続人の法定相続人であるかどうかを判定する相続人判定部と、
を実現させ、
前記家系図表示部は、前記相続人判定部の判定結果に基づいて、前記法定相続人候補アイコン及び前記追加アイコンのそれぞれの表示態様を変更する、
プログラム。
【発明の詳細な説明】
【技術分野】
【０００１】
本発明は、家系図作成装置に関する。
【背景技術】
【０００２】
金融機関の営業員は、顧客から、顧客が死亡した場合に相続人が支払うべき相続税の概算額を知りたいとの要望を受けることがある。このような場合、営業員は、顧客の相続財産や相続人についての情報を聞き取り、営業所に戻って各相続人の承継財産や相続税の額を試算し、顧客にフィードバックしている。例えば、特許文献１には、相続税の額を試算する際に用いる家系図を作成するシステムが開示されている。
【先行技術文献】
【特許文献】
【０００３】
【特許文献１】特開２００４−３０３１０３号公報
【発明の概要】
【発明が解決しようとする課題】
【０００４】
特許文献１に開示されているように、相続税の額を試算するにあたって家系図を作成することが行われることがあるが、その作成手順はユーザフレンドリーであるとは言えない。特に、営業員が営業所に戻ってから家系図を作成するのではなく、営業員が顧客に面会している場で顧客自身に家系図を作成してもらうような場合には、より直感的な操作が求められる。
【０００５】
本発明はこのような事情に鑑みてなされたものであり、家系図を作成する際の操作性を向上させることを目的とする。
【課題を解決するための手段】
【０００６】
本発明の一側面に係る家系図作成装置は、被相続人の法定相続人となり得る法定相続人候補を表す複数の法定相続人候補アイコンを候補アイコン領域に表示する候補アイコン表示部と、候補アイコン領域から、家系図に表示する法定相続人候補の法定相続人候補アイコンの選択を受け付けるとともに、該法定相続人候補が配偶者または子を有するかどうかの入力を受け付ける相続人入力部と、被相続人を表す被相続人アイコンと、選択された法定相続人候補アイコンと、相続人入力部が受け付けた配偶者または子を表す追加アイコンとを含む家系図を家系図領域に表示する家系図表示部と、家系図の情報を記憶する家系図記憶部と、家系図に含まれる各人が被相続人の法定相続人であるかどうかを判定する相続人判定部と、を備え、家系図表示部は、相続人判定部の判定結果に基づいて、法定相続人候補アイコン及び追加アイコンのそれぞれの表示態様を変更する。
【０００７】
なお、本発明において、「部」とは、単に物理的手段を意味するものではなく、その「部」が有する機能をソフトウェアによって実現する場合も含む。また、１つの「部」や装置が有する機能が２つ以上の物理的手段や装置により実現されても、２つ以上の「部」や装置の機能が１つの物理的手段や装置により実現されてもよい。
【発明の効果】
【０００８】
本発明によれば、家系図を作成する際の操作性を向上させることが可能となる。
【図面の簡単な説明】
【０００９】
【図１】本発明の一実施形態であるユーザ端末を含む情報処理システムの構成例を示す図である。
【図２】ユーザ端末のハードウェア構成の一例を示す図である。
【図３】ユーザ端末が有する機能の一例を示すブロック図である。
【図４】相続税の試算に用いる家系図を作成するための画面の一例を示す図である。
【図５】候補アイコン領域から法定相続人候補アイコンを選択する様子の一例を示す図である。
【図６】選択された法定相続人候補が追加された家系図の一例を示す図である。
【図７】法定相続人候補アイコンを家系図領域にドラッグ・アンド・ドロップするユーザ操作の様子の一例を示す図である。
【図８】選択された法定相続人候補が追加された家系図の一例を示す図である。
【図９】「実子１」が配偶者及び１人の子を有すると入力された場合の例を示す図である。
【図１０】作成された家系図の一例を示す図である。
【図１１】相続財産の入力を行う画面の一例を示す図である。
【図１２】試算表が表示された画面の一例を示す図である。
【図１３】承継財産の額を調整する様子の一例を示す図である。
【図１４】改正後の相続税が表示された画面の一例を示す図である。
【発明を実施するための形態】
【００１０】
以下、図面を参照して本発明の一実施形態について説明する。図１は、本発明の一実施形態であるユーザ端末を含む情報処理システムの構成例を示す図である。図１に示すように、情報処理システム１００は、ユーザ端末１１０及びサーバ１２０を含んで構成されている。なお、ユーザ端末１１０及びサーバ１２０は、無線通信ネットワーク１３０及びインターネット１４０等のネットワークを介して通信可能に接続されている。
【００１１】
ユーザ端末１１０は、ユーザが利用するコンピュータである。ユーザ端末１１０は、例えば、タブレット型コンピュータ等の携帯型情報端末とすることができる。ユーザ端末１１０は、例えば、携帯電話のネットワークや無線ＬＡＮ（Ｌｏｃａｌ  Ａｒｅａ  Ｎｅｔｗｏｒｋ）等の無線通信ネットワーク１３０を介して、インターネット１４０に接続することができる。そして、ユーザ端末１１０は、インターネット１４０に接続されたサーバ１２０との間でデータの送受信を行うことができる。
【００１２】
本実施形態において、ユーザ端末１１０は、家系図を作成するための家系図作成装置として用いられる。また、ユーザ端末１１０は、相続税を試算するための相続税試算装置としても用いられる。
【００１３】
サーバ１２０は、ユーザ端末１１０に各種データやプログラムを提供するためのコンピュータである。サーバ１２０は、複数台のコンピュータを用いて構成されていてもよい。
【００１４】
図２は、ユーザ端末１１０のハードウェア構成の一例を示す図である。ユーザ端末１１０は、メモリ２００、プロセッサ２１０、タッチパネル２２０、及び通信インタフェース２３０を含んでいる。
【００１５】
メモリ２００は、ユーザ端末１１０において用いられるデータやプログラム等を記憶するための記憶デバイスである。メモリ２００は、データやプログラムを一時的に記憶する揮発性の記憶領域や、データやプログラムを恒久的に記憶する不揮発性の記憶領域を含む。
【００１６】
プロセッサ２１０は、メモリ２００に記憶されているプログラムを実行することにより、ユーザ端末１１０における各種機能を実現することができる。
【００１７】
タッチパネル２２０は、液晶ディスプレイや有機ＥＬ（ＥｌｅｃｔｒｏＬｕｍｉｎｅｓｃｅｎｃｅ）ディスプレイ等の表示デバイスとタッチ入力デバイスとを組み合わせた、入出力デバイスである。なお、ユーザ端末１１０は、外部接続されるディスプレイを備えることとしてもよい。また、ユーザ端末１１０は、キーボードやマウス等の入力デバイスを備えることとしてもよい。
【００１８】
通信インタフェース２３０は、外部と通信するためのインタフェースである。通信インタフェース２３０は、例えば、携帯電話のネットワークに接続するためのインタフェースや、無線ＬＡＮに接続するためのインタフェース、ＵＳＢ（Ｕｎｉｖｅｒｓａｌ  Ｓｅｒｉａｌ  Ｂｕｓ）に接続するためのインタフェース等を含む。
【００１９】
図３は、ユーザ端末１１０が有する機能の一例を示すブロック図である。図３に示すように、ユーザ端末１１０は、候補アイコン表示部３００、相続人入力部３０１、相続人判定部３０２、家系図記憶部３０３、相続人記憶部３０４、家系図表示部３０５、財産入力部３０６、財産記憶部３０７、試算部３０８、試算表表示部３０９、及び調整入力受付部３１０を含む。なお、図３に示す各部は、例えば、メモリ２００の記憶領域を用いたり、メモリ２００に記憶されているプログラムをプロセッサ２１０が実行したりすることにより実現することができる。以下、図４〜図１２を参照しつつ、図３に示した各部の機能について説明する。
【００２０】
候補アイコン表示部３００は、被相続人の法定相続人となり得る法定相続人候補を表す複数の法定相続人候補アイコンを候補アイコン領域に表示する。図４を参照して、具体例を説明する。図４は、相続税の試算に用いる家系図を作成するための画面の一例を示す図である。なお、図４に示す画面は、タッチパネル２２０上に表示される。後述する他の画面についても同様である。図４に示す画面４００は、家系図領域４１０及び候補アイコン領域４２０を含んでいる。家系図領域４１０には、被相続人を表す被相続人アイコン４３０を含む家系図が表示される。画面４００の下部に設けられた候補アイコン領域４２０には、複数の法定相続人候補アイコン４４０が表示される。各法定相続人候補アイコン４４０は、例えば、配偶者、子、父、母、兄弟姉妹など、被相続人の法定相続人となり得る人を示すアイコンである。
【００２１】
相続人入力部３０１は、候補アイコン領域４２０から、家系図に追加する法定相続人候補を表す法定相続人候補アイコン４４０の選択を受け付ける。図５は、候補アイコン領域４２０から法定相続人候補アイコン４４０を選択する様子の一例を示す図である。図５に示す例では、相続人入力部３０１は、「配偶者」の法定相続人候補アイコン４４０Ａを家系図領域４１０にドラッグ・アンド・ドロップするユーザ操作により、配偶者を家系図に追加するユーザ入力を受け付けている。該ユーザ操作により法定相続人候補が選択されると、図６に示すように、選択された法定相続人候補が追加された家系図が表示される。なお、相続人入力部３０１は、配偶者以外の他の法定相続人候補についても同様に、家系図に追加する法定相続人候補の選択を受け付けることができる。
【００２２】
また、相続人入力部３０１は、家系図に追加された法定相続人候補が配偶者または子を有するかどうかの入力を受け付けることができる。図７に示す例では、相続人入力部３０１は、「実子１」の法定相続人候補アイコン４４０Ｂを家系図領域４１０にドラッグ・アンド・ドロップするユーザ操作により、実子を家系図に追加するユーザ入力を受け付けている。該ユーザ操作により法定相続人候補が選択されると、図８に示すように、選択された法定相続人候補が追加された家系図が表示される。ここで、相続人入力部３０１は、例えば、「実子１」が配偶者または子を有するかどうかを入力するためのユーザインタフェースを出力し、該入力を受け付けることができる。図９には、「実子１」が配偶者及び１人の子を有すると入力された場合の例が示されている。図９に示す例では、「実子１」の配偶者を表す追加アイコン９００Ａと、「実子１」の子、即ち被相続人の孫を表す追加アイコン９００Ｂとが家系図に追加されている。なお、追加アイコン９００Ｂの右上に表示される「１」は、「実子１」の子の人数を表している。後述する例においても同様に、アイコンの右上に表示される数字は人数を表すものである。
【００２３】
また、相続人入力部３０１は、候補アイコン領域４２０から、家系図に追加する死亡した法定相続人候補の法定相続人候補アイコン４４０の選択を受け付けることができる。図１０には、「亡子１」の法定相続人候補アイコン４４０Ｃ（死亡法定相続人候補アイコン）が家系図領域４１０にドラッグ・アンド・ドロップされた例が示されている。この場合、相続人入力部３０１は、「亡子１」が子（即ち代襲相続人）を有するかどうかを入力するためのユーザインタフェースを出力し、該入力を受け付けることができる。図１０に示す例では、「亡子１」の代襲相続人
を表す追加アイコン９００Ｃが家系図に追加されている。
【００２４】
図３に戻り、相続人判定部３０２は、家系図に含まれる各人が被相続人の法定相続人または受遺者であるかどうかを判定する。具体的には、相続人判定部３０２は、家系図に含まれる法定相続人候補について、法定の相続順位（第１順位〜第３順位）に従って、法定相続人であるかどうかを判定することができる。例えば、図１０に示す例では、候補アイコン４４０Ａで表される配偶者、候補アイコン４４０Ｂで表される実子１、候補アイコン４４０Ｄで表される実子２、候補アイコン４４０Ｅで表される孫養子１、及び候補アイコン９００Ｃで表される代襲相続人が、法定相続人であると判定される。また、相続人判定部３０２は、家系図に含まれる法定相続人候補以外の人を受遺者であると判定することができる。例えば、図１０に示す例では、追加アイコン９００Ａで表される実子１の配偶者、追加アイコン９００Ｂで表される実子１の子（被相続人の孫）、及び追加アイコン９００Ｄで表される兄弟姉妹１の子（被相続人の甥姪）が、受遺者であると判定される。
【００２５】
図３に戻り、家系図記憶部３０３は、相続人入力部３０１による入力によって作成された家系図の情報を記憶する。家系図の情報には、例えば、家系図に含まれる各人について、被相続人との関係を示す情報や、法定相続人であるか受遺者であるかを示す情報などが含まれる。また、相続人記憶部３０４は、家系図に含まれる人物のうち、法定相続人及び受遺者についての情報を記憶する。なお、相続人記憶部３０４は、家系図記憶部３０３の一部とすることができる。
【００２６】
家系図表示部３０５は、家系図記憶部３０３に記憶されている家系図の情報に基づいて、図４〜図１０に例示したように、家系図領域４１０に家系図を表示する。また、家系図表示部３０５は、家系図に含まれる各人が、法定相続人または受遺者であるかどうかを判別可能な表示態様で、各人物のアイコンを表示することができる。具体的には、図１０に示す例では、法定相続人のアイコンは、例えばアイコン４４０Ａで示されるように、太い線で囲まれた表示態様とすることができる。また、受遺者のアイコンは、例えば９００Ｂで示されるように、細い線で囲まれた表示態様とすることができる。なお、図１０に示した表示態様は一例であり、アイコンの表示態様には任意の形式を採用することができる。例えば、アイコンを囲む線の色を変更したり、アイコン自身の色を変更したりしてもよい。
【００２７】
図３に戻り、財産入力部３０６は、被相続人が法定相続人及び受遺者に相続する相続財産の入力を受け付けて、財産記憶部３０７に格納する。図１１は、相続財産の入力を行う画面の一例を示す図である。画面１１００は、例えば、図１０に示した画面４００において、家系図の作成完了後に「次へ」ボタン１０００が押下されることにより表示される。財産入力部３０６は、図１１に示すように、例えば、「現金・預貯金」、「有価証券」、「不動産」、「その他資産」、「死亡保険金」及び「借入金等債務」のように、財産項目ごとに相続財産の入力を受け付けて、財産記憶部３０７に格納することができる。また、財産入力部３０６は、例えば「葬式費用」のように、相続税の算出時に相続財産から控除可能な費用についての入力も受け付けることができる。
【００２８】
図３に戻り、試算部３０８は、財産記憶部３０７に記憶されている相続財産を、相続人記憶部３０４に記憶されている相続人（法定相続人及び受遺者）に相続する場合の、各相続人の承継財産及び相続税の額を計算（試算）する。試算部３０８による計算は、例えば、図１１に示す画面１１００において、「試算する」ボタン１１１０が押下されることにより実行される。まず、試算部３０８は、財産記憶部３０７に記憶されている相続財産を、相続人記憶部３０４に記憶されている各法定相続人に法定の相続割合で分配した場合の、各相続人の承継財産及び相続税の額を計算することができる。また、試算部３０８は、ユーザ入力により、相続人（法定相続人及び受遺者）の間で承継財産の額の調整が行われた場合には、調整後の承継財産の額に基づいて、各相続人の相続税の額を再計算することができる。さらに、相続税の改正が予定されている場合において、試算部３０８は、ユーザによって指定される基準時における相続税の額を計算することができる。
【００２９】
図３に戻り、試算表表示部３０９は、試算部３０８の計算結果に基づいて、相続人ごとの承継財産及び相続税の額を表す試算表を表示することができる。図１２は、試算表が表示された画面の一例を示す図である。画面１２００に表示される試算表には、相続人ごとの承継財産（費用を含む）について、財産項目ごとの額及び合計額が表示されている。また、この試算表には、相続人ごとの相続税の試算額が表示されている。
【００３０】
図３に戻り、調整入力受付部３１０は、試算表に表示される相続人間で承継財産の額を調整するための調整入力を受け付けることができる。図１２に示すように、試算表は、各相続人の各相続項目における承継財産の額がセルに区切られて表示されている。調整入力受付部３１０は、額を調整するセルの選択を受け付けるとともに、選択されたセルの調整後の額の入力を受け付けることができる。
【００３１】
なお、調整入力受付部３１０は、例えば、あるセルに表示されている額の一部または全部を他のセルに移動させるための入力を受け付けることもできる。例えば、調整入力受付部３１０は、移動元のセル（第１の領域）を移動先のセル（第２の領域）にドラッグ・アンド・ドロップするユーザ操作に応じて、移動元のセルから移動先のセルに移動させる額をユーザに問い合わせ、該問い合わせに応じて入力された額を移動先のセルに移動させることができる。
【００３２】
図１２及び図１３を参照して、調整入力の一例について説明する。図１２に示す例において、被相続人の相続財産を法定の相続割合で分配した場合の、セル１２１０（配偶者の有価証券）の額は１２，５００万円となっている。例えば、この額の一部または全部を、セル１２２０（受遺者孫１−１（図１０のアイコン９００Ｂで示される受遺者）の有価証券）、セル１２３０（受遺者配偶者１（図１０のアイコン９００Ａで示される受遺者）の有価証券）、及びセル１２４０（受遺者甥姪１−１（図１０のアイコン９００Ｄで示される受遺者）の有価証券）に分配することができる。例えば、図１３に示す例では、セル１２１０の１２，５００万円から、セル１２２０，１２３０，１２４０のそれぞれに対して３，０００万円ずつ分配されている。これにより、セル１２１０の額は３，５００万円に減少している。
【００３３】
図１３に示すように承継財産の額の調整が行われると、各相続人の相続税の額が再計算され、試算表が更新される。具体的には、図１３に示す例では、配偶者の相続税は０円となり、３，０００万円が分配された各受遺者の相続税は７１１万円となっている。
【００３４】
なお、図１３では、法定相続人と受遺者との間で承継財産の額が調整される例を示したが、承継財産の額の調整は、法定相続人の間で行われてもよいし、受遺者の間で行われてもよい。
【００３５】
また、図１３に示す画面１２００には、「Ｈ２７年以降の試算」ボタン１３００が設けられている。すなわち、相続税の改正により、平成２７年以降では相続税の計算方法が変更となる場合、このボタン１３００が押下されると、試算部３０８は、試算表に表示されている各相続人の承継財産について、改正後の相続税の額を計算する。図１４は、改正後の相続税の額が表示された試算表の一例を示す図である。図１４に示す画面１２００には、「Ｈ２６年末までの試算」ボタン１４００が設けられている。このボタン１４００が押下されると、再度、改正前の相続税の額が計算され、図１３に示す画面１２００に戻る。
【００３６】
以上、本実施形態について説明した。本実施形態によれば、図４〜図１０に例示したように、アイコンのドラッグ・アンド・ドロップによるユーザの直感的な操作により、家系図を作成することができる。また、家系図に追加された人物が法定相続人であるかどうかの判定が行われ、該判定結果に応じた表示態様でアイコンが表示される。このように、本実施形態によれば、家系図を作成する際の操作性を向上させることができる。
【００３７】
また、本実施形態によれば、図１０に例示したように、法定相続人候補以外の追加された人物が法定相続人でない場合、該人物を受遺者と判定し、受遺者であることを示す表示態様でアイコンを表示することができる。
【００３８】
また、本実施形態によれば、例えば図１０に示したように、死亡した法定相続人候補を家系図に追加することもできる。これにより、例えば、死亡した法定相続人候補の子に相続させたい場合の家系図作成が容易となる。
【００３９】
また、本実施形態によれば、法定相続人候補が有する子の数の入力を受け付け、入力した子の数を含むアイコンを家系図に表示することができる。これにより、限られた表示スペースの中で、効率的に家系図を表示することができる。
【００４０】
また、本実施形態によれば、まず、各相続人に対して法定の相続割合で相続財産を分配した場合の各相続人の承継財産及び相続税の額が計算される。そして、計算結果をもとに承継財産の額の調整を行い、調整後の承継財産の額に基づいて、相続税の額を再計算することができる。このように、被相続人は、各相続人の承継財産の額を調整し、各相続人の相続税の額を確認することにより、各相続人の承継財産の額をどの程度にすればよいかを検討することができる。すなわち、隠相続人の承継財産の額の検討を支援することができる。
【００４１】
また、本実施形態によれば、法定相続人と受遺者との間で承継財産の調整を行い、各相続人の相続税の額を確認することができる。
【００４２】
また、本実施形態によれば、財産項目ごとに承継財産の額を調整することができる。すなわち、相続財産の分配を細かく調整することができる。
【００４３】
また、本実施形態によれば、ある相続人の承継財産の額の少なくとも一部を、他の相続人の承継財産の額とする操作を、ドラッグ・アンド・ドロップにより行うことができる。このように、ユーザの直感的な操作により、承継財産の額の調整を行うことができる。
【００４４】
また、本実施形態によれば、家系図を作成するための操作や相続税を計算するための操作をタッチパネル上で行うことができる。これにより、ユーザの操作性を向上させることができる。
【００４５】
また、本実施形態によれば、ユーザ端末をタブレット型端末等の携帯型情報端末とすることができる。これにより、例えば、金融機関の営業員が、訪問先で顧客にユーザ端末を渡して顧客自身に操作してもらうことが容易となる。
【００４６】
なお、本実施形態は、本発明の理解を容易にするためのものであり、本発明を限定して解釈するためのものではない。本発明は、その趣旨を逸脱することなく、変更／改良され得るととともに、本発明にはその等価物も含まれる。
【符号の説明】
【００４７】
１００  情報処理システム
１１０  ユーザ端末
１２０  サーバ
１３０  無線通信ネットワーク
１４０  インターネット
２００  メモリ
２１０  プロセッサ
２２０  タッチパネル
２３０  通信インタフェース
３００  候補アイコン表示部
３０１  相続人入力部
３０２  相続人判定部
３０３  家系図記憶部
３０４  相続人記憶部
３０５  家系図表示部
３０６  財産入力部
３０７  財産記憶部
３０８  試算部
３０９  試算表表示部
３１０  調整入力受付部
【図１】
2015132882.tif 000003
【図２】
2015132882.tif 000004
【図３】
2015132882.tif 000005
【図４】
2015132882.tif 000006
【図５】
2015132882.tif 000007
【図６】
2015132882.tif 000008
【図７】
2015132882.tif 000009
【図８】
2015132882.tif 000010
【図９】
2015132882.tif 000011
【図１０】
2015132882.tif 000012
【図１１】
2015132882.tif 000013
【図１２】
2015132882.tif 000014
【図１３】
2015132882.tif 000015
【図１４】
2015132882.tif 000016